【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
外部への表示画面の出力を制御する出力制御部と、
前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、
を備える、表示制御装置。
【請求項２】
前記表示制御装置は、
出力先の表示領域の大きさと前記現在表示画面の大きさとを比較する比較部をさらに備え、
前記表示制御部は、比較の結果、前記出力先の表示領域が前記現在表示画面の領域より大きい場合、前記外部に出力する表示画面に含まれるオブジェクトを、前記現在表示画面に含まれる同オブジェクトより情報の詳細度合いが高い前記第２の表示態様に変更する、請求項１に記載の表示制御装置。
【請求項３】
前記第２の表示態様のオブジェクトは、前記現在表示画面に含まれる同オブジェクトの次階層の機能を示す１以上のアイテムの表示を含む１のアイコンで表示される、請求項２に記載の表示制御装置。
【請求項４】
前記第２の表示態様のオブジェクトは、前記現在表示画面に含まれる同オブジェクトの次階層の機能を示す１以上のアイコンで表示される、請求項２に記載の表示制御装置。
【請求項５】
前記表示制御部は、前記外部に出力する表示画面における前記オブジェクトの表示位置を、前記現在表示画面における同オブジェクトの表示位置と対応するよう表示制御する、請求項１〜４のいずれか１項に記載の表示制御装置。
【請求項６】
前記表示制御部は、前記外部に出力する表示画面における前記オブジェクトが、前記第１の表示態様から前記第２の表示態様に変化する際の遷移画面を表示するよう制御する、請求項１〜５のいずれか１項に記載の表示制御装置。
【請求項７】
前記表示制御部は、複数の前記オブジェクト毎に、前記遷移画面を順次表示するよう制御する、請求項６に記載の表示制御装置。
【請求項８】
前記表示制御部は、前記外部に出力する表示画面における前記オブジェクトの色または形状を、前記現在表示画面における同オブジェクトの色または形状と対応するよう制御する、請求項１〜７のいずれか１項に記載の表示制御装置。
【請求項９】
前記表示制御部は、前記外部に出力する表示画面において、ユーザに指定されたアイコンが属するアイコン群を輪郭の強調または動きの同期制御により明示する表示制御を行う、請求項１〜８のいずれか１項に記載の表示制御装置。
【請求項１０】
前記表示制御部は、前記外部に出力する表示画面において前記第２の表示態様で表示されるオブジェクトを、ユーザ操作に応じて前記第１の表示態様による表示に戻す表示制御を行う、請求項１〜９のいずれか１項に記載の表示制御装置。
【請求項１１】
前記表示制御装置は、
出力先の表示領域の大きさと前記現在表示画面の大きさとを比較する比較部をさらに備え、
前記表示制御部は、比較の結果、前記出力先の表示領域が前記現在表示画面の領域より小さい場合、前記外部に出力する表示画面に含まれるオブジェクトを、前記現在表示画面の対応する同オブジェクトより情報の詳細度合いが低い前記第２の表示態様に変更する、請求項１に記載の表示制御装置。
【請求項１２】
外部に出力する表示画面に含まれるオブジェクトを、現在表示画面に含まれる同オブジェクトの第１の表示態様と情報の詳細度合いにおいて異なる第２の表示態様に変更するステップと、
前記第２の表示態様に変更したオブジェクトを含む表示画面を外部に出力するよう制御するステップと、
を含む、表示制御方法。
【請求項１３】
コンピュータに、
外部への表示画面の出力を制御する出力制御部と、
前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、
として機能させるための、プログラム。
【手続補正２】
【補正対象書類名】明細書
【補正対象項目名】００２７
【補正方法】変更
【補正の内容】
【００２７】
＜＜２．基本構成及び動作処理＞＞
＜２−１．デジタルカメラの構成＞
図３は、本実施形態によるデジタルカメラ１の内部構成例を示すブロック図である。図３に示すように、本実施形態によるデジタルカメラ１は、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、カメラモジュール１３、操作入力部１４、記憶メディア１６、表示制御部１７、比較部１８、表示部１９、及び外部Ｉ／Ｆ（インターフェース）２０を有する。以下、各構成について具体的に説明する。
【手続補正３】
【補正対象書類名】明細書
【補正対象項目名】００３１
【補正方法】変更
【補正の内容】
【００３１】
（表示制御部）
表示制御部１７は、ＣＰＵ１０の指示に従って、表示部１９に表示する内容を制御する機能を有する。具体的には、表示部１９に所定のメニュー画面や操作画面を表示したり、カメラモジュール１３から出力された撮影画像をリアルタイムに表示したり、記憶メディア１６に記憶されている画像データ（静止画／動画）を表示（再生）したりする制御を行う。
【手続補正４】
【補正対象書類名】明細書
【補正対象項目名】００４１
【補正方法】変更
【補正の内容】
【００４１】
＜２−２．表示制御処理＞
図４は、本実施形態による表示制御処理を示すフローチャートである。図４に示すように、まず、ステップＳ１０３において、デジタルカメラ１の表示制御部１７は、ＣＰＵ１０の指示に応じて、表示部１９へ画像出力を開始する。例えば、表示制御部１７は、デジタルカメラ１の電源スイッチがＯＮになった場合、図１に示すように、表示部１９にメニュー画面３０を表示する。
【手続補正５】
【補正対象書類名】明細書
【補正対象項目名】００４４
【補正方法】変更
【補正の内容】
【００４４】
次に、ステップＳ１１２において、比較部１８は、現在表示画面の領域の大きさと、出力先の表示領域の大きさとを比較し、比較結果を表示制御部１７に出力する。そして、表示制御部１７は、比較結果に基づいて、出力される表示画面に含まれる各オブジェクトの表示態様を変更する制御を行う。以下、ステップＳ１２５〜Ｓ１４２において具体的に説明する。
【手続補正６】
【補正対象書類名】明細書
【補正対象項目名】００７１
【補正方法】変更
【補正の内容】
【００７１】
図８は、本実施形態による第４の画面表示例について説明するための図である。図８に示すように、デジタルカメラ１側で表示されているメニュー画面３６（現在表示画面）に含まれるメニュー項目３７ａ〜３７ｅは、各々異なる色で示されている。この場合、表示制御部１７は、当該メニュー画面３６をタブレット端末２側に出力する際、各メニュー項目３７の表示態様を、各メニュー項目３７の次階層の機能を示すアイコンであって、かつ、関連する各メニュー項目３７と同様の色のアイコンに変更する。
【手続補正７】
【補正対象書類名】明細書
【補正対象項目名】００７２
【補正方法】変更
【補正の内容】
【００７２】
したがって、タブレット端末２側では、図８に示すように、メニュー画面５４において、各々関連する各メニュー項目３７ａ〜３７ｅと同様の色で示されるアイコン群５５ａ、５５ｃ、５５ｄ、５５ｅ、及びアイコン５５ｂが示される。
【手続補正８】
【補正対象書類名】明細書
【補正対象項目名】００７６
【補正方法】変更
【補正の内容】
【００７６】
図９は、本実施形態による第５の画面表示例について説明するための図である。図９に示すように、デジタルカメラ１側で表示されているメニュー画面３０（現在表示画面）を、タブレット端末２側に出力する際、表示制御部１７は、各メニュー項目３１ａ〜３１ｅの表示態様を、より詳細な情報を示す（より情報量が多い）表示態様に変更する。具体的には、図９のメニュー画面５７に示すように、次階層の機能を示すアイテムの表示５９ａ、５９ｃ、５９ｄ、５９ｅを各々含むアイコン５８ａ、５８ｃ、５８ｄ、５８ｅの表示態様に変更する。
【手続補正９】
【補正対象書類名】明細書
【補正対象項目名】００９６
【補正方法】変更
【補正の内容】
【００９６】
１    デジタルカメラ
１０    ＣＰＵ
１１    ＲＯＭ
１２    ＲＡＭ
１３    カメラモジュール
１４    操作入力部
１６    記憶メディア
１７    表示制御部
１８    比較部
１９    表示部
２０    外部Ｉ／Ｆ
２    タブレット端末
２５    表示部
３０、３３、３６、４５、５１、５４、５７、６５、６８、７０、７２    メニュー画面
３１ａ〜３１ｅ、３４ａ〜３４ｅ、３７ａ〜３７ｅ、４３ａ〜４３ｅ    メニュー項目
４６ａ、４６ｃ〜４６ｅ、５２ａ、５２ｃ〜５２ｅ、５５ａ、５５ｃ〜５５ｅ、６１ａ、６１ｃ〜６１ｅ    アイコン群
４６ｂ、５２ｂ、５５ｂ、５８ａ〜５８ｅ、６１ｂ、６１０    アイコン
６６ 結合ボタン
７１    分解ボタン
【手続補正１０】
【補正対象書類名】図面
【補正対象項目名】図９
【補正方法】変更
【補正の内容】
【図９】
2014120036.tif 000001